(57)【要約】【課題】カメラ付き玄関機とモニタ付き居室親機とを終端抵抗付き共通バスに接続する。【解決手段】終端抵抗７１付き共通バス７に、カメラ付き玄関機８とモニタ付き居室親機９とを共通接続し、カメラ付き玄関機８は、音声信号、データ信号、電源を通過させる音声・データ・電源通過回路２２と、共通バス７への映像信号を通過させ、共通バス７からの映像信号を遮断するカメラ混合器回路２１とを介して共通バス７に接続され、モニタ付き居室親機９は、音声信号、データ信号、電源を通過させる音声・データ・電源通過回路５２と、共通バス７からの映像信号を通過させ、共通バス７への映像信号を遮断するモニタ分波器回路５１とを介して共通バス７に接続される。【選択図】図１
2004304548.tif 000002
【特許請求の範囲】
【請求項１】
終端抵抗（７１）付き共通バス（７）に、前記共通バスに電源を供給すると共に前記共通バスの交流インピーダンスを制御するバスコントローラー（１）と、映像信号を出力するカメラモジュール（２）、音声信号で通話を行なうための玄関機通話モジュール（３）、前記通話にあたり呼出のためのデータ信号を出力するスイッチモジュール（４、・・・）から構成されたカメラ付き玄関機（８）と、前記映像信号を出画させるモニタモジュール（５）、前記カメラ付き玄関機と音声信号で通話を行なうための親機通話モジュール（６）から構成されたモニタ付き居室親機（９）とを共通接続し、
前記カメラ付き玄関機は、前記音声信号、前記データ信号、前記電源を通過させる音声・データ・電源通過回路（２２）と、前記共通バスへの映像信号を通過させ、前記共通バスからの映像信号を遮断するカメラ混合器回路（２１）とを介して前記共通バスに接続され、
前記モニタ付き居室親機は、前記音声信号、前記データ信号、前記電源を通過させる音声・データ・電源通過回路（５２）と、前記共通バスからの映像信号を通過させ、前記共通バスへの映像信号を遮断するモニタ分波器回路（５１）とを介して前記共通バスに接続されることにより前記カメラ付き玄関機と前記モニタ付き居室親機を前記終端抵抗付き共通バスに接続できるようにしたことを特徴とするテレビインターホンシステム。
【請求項２】
終端抵抗（７１）付き共通バス（７）に、映像信号を出力するカメラモジュール（２）、音声信号で通話を行なうための玄関機通話モジュール（３）、前記通話にあたり呼出のためのデータ信号を出力するスイッチモジュール（４、・・・）から構成されたカメラ付き玄関機（８）と、前記共通バスに電源を供給すると共に前記共通バスの交流インピーダンスを制御するバスコントローラー（１）、前記映像信号を出画させるモニタモジュール（５）、前記カメラ付き玄関機と音声信号で通話を行なうための親機通話モジュール（６）から構成されたモニタ付き居室親機（９）とを共通接続し、
前記カメラ付き玄関機は、前記音声信号、前記データ信号、前記電源を通過させる音声・データ・電源通過回路（２２）と、前記共通バスへの映像信号を通過させ、前記共通バスからの映像信号を遮断するカメラ混合器回路（２１）とを介して前記共通バスに接続され、
前記モニタ付き居室親機は、前記音声信号、前記データ信号、前記電源を通過させる音声・データ・電源通過回路（５２）と、前記共通バスからの映像信号を通過させ、前記共通バスへの映像信号を遮断するモニタ分波器回路（５１）とを介して前記共通バスに接続されることにより前記カメラ付き玄関機と前記モニタ付き居室親機を前記終端抵抗付き共通バスに接続できるようにしたことを特徴とするテレビインターホンシステム。
【請求項３】
終端抵抗（７１）付き共通バス（７）に、前記共通バスに電源を供給すると共に前記共通バスの交流インピーダンスを制御するバスコントローラー（１）、映像信号を出力するカメラモジュール（２）、音声信号で通話を行なうための玄関機通話モジュール（３）、前記通話にあたり呼出のためのデータ信号を出力するスイッチモジュール（４、・・・）から構成されたカメラ付き玄関機（８）と、前記映像信号を出画させるモニタモジュール（５）、前記カメラ付き玄関機と音声信号で通話を行なうための親機通話モジュール（６）から構成されたモニタ付き居室親機（９）とを共通接続し、
前記カメラ付き玄関機は、前記音声信号、前記データ信号、前記電源を通過させる音声・データ・電源通過回路（２２）と、前記共通バスへの映像信号を通過させ、前記共通バスからの映像信号を遮断するカメラ混合器回路（２１）とを介して前記共通バスに接続され、
前記モニタ付き居室親機は、前記音声信号、前記データ信号、前記電源を通過させる音声・データ・電源通過回路（５２）と、前記共通バスからの映像信号を通過させ、前記共通バスへの映像信号を遮断するモニタ分波器回路（５１）とを介して前記共通バスに接続されることにより前記カメラ付き玄関機と前記モニタ付き居室親機を前記終端抵抗付き共通バスに接続できるようにしたことを特徴とするテレビインターホンシステム。
【請求項４】
前記カメラ付き玄関機及び前記カメラ混合器回路間、前記モニタ付き居室親機及び前記モニタ分波器回路間をそれぞれ分岐線（Ｌ１、Ｌ２）で接続することにより前記カメラ付き玄関機と前記モニタ付き居室親機を前記共通バスから離間した場所に設置できるようにしたことを特徴とする請求項１乃至請求項３何れか１項記載のテレビインターホンシステム。
【請求項５】
前記カメラ混合器回路と前記モニタ分波器回路を前記映像信号を増幅する増幅回路（ＡＭＰ１、ＡＭＰ１１）でそれぞれ構成することにより前記共通バスへの影響を少なくしたことを特徴とする請求項１乃至請求項４何れか１項記載のテレビインターホンシステム。
【発明の詳細な説明】
【０００１】
【発明が属する技術分野】
本発明は集合住宅テレビインターホンシステムに係り、特に複数のカメラ付き玄関機と複数のモニタ付き居室親機とを終端抵抗を備えた共通バスに接続することができる集合住宅テレビインターホンシステムに関する。
【０００２】
【従来の技術】
従来から、この種の集合住宅テレビインターホンシステムとして、図３に示すような集合住宅テレビインターホンシステムが提案されている。この集合住宅テレビインターホンシステムは、集合住宅のエントランス等に設置される複数のカメラ付き玄関機１８０と、集合住宅の複数の住戸内にそれぞれ設置されるモニタ付き居室親機１９０と、カメラ付き玄関機１８０およびモニタ付き居室親機１９０に直流電源の供給を行なうバスコントローラー１１０とから構成されている。
モニタ付き居室親機１９０は終端抵抗１７１付き共通バス１７０に分岐器１７２を介して接続され、この共通バス１７０はバスコントローラー１１０に接続されている。また、複数のカメラ付き玄関機１８０はそれぞれ個別にケーブル接続されている。
【０００３】
カメラ付き玄関機１８０は、バスコントローラー１１０に接続され音声信号、データ信号、映像信号、電源を多重・分離する玄関機インターフェース１８１（以下、「玄関機Ｉ／Ｆ１８１」とする。）と、玄関機Ｉ／Ｆ１８１に接続され映像信号を出力するカメラモジュール１２０と、玄関機Ｉ／Ｆ１８１に接続され音声信号で通話を行うための玄関機通話モジュール１３０と、玄関機通話モジュール１３０に接続され居室親機選局呼出のための複数のスイッチモジユール１４０、・・・とから構成されている。カメラモジュール１２０はカメラ１２５、変調回路１２４および電源回路１２３を有し、玄関機通話モジュール１３０は通話回路１３３、データ送受信回路１３４、制御回路１３５、インピーダンスアッパー回路１３１および電源回路１３２を有し、スイッチモジユール１４０は呼出スイッチ１４１およびスイッチ制御回路１４２を有している。
【０００４】
モニタ付き居室親機１９０は分岐器１７２に接続され音声信号、データ信号、映像信号、電源を多重・分離する居室親機インターフェース１９１（以下、「居室親機Ｉ／Ｆ１９１」とする。）と、居室親機Ｉ／Ｆ１９１に接続され映像信号を出画させるモニタモジュール１５０と、居室親機Ｉ／Ｆ１９１に接続され音声信号で通話を行うための親機通話モジュール１６０とから構成されている。モニタモジュール１５０はモニタ１５５、復調回路１５４および電源回路１５３を有し、親機通話モジュール１６０は通話回路１６３、データ送受信回路１６４、制御回路１６５、インピーダンスアッパー回路１６１および電源回路１６２を有している。
【０００５】
バスコントローラー１１０はバスコントローラーインターフェース１１３（以下、「バスコントローラーＩ／Ｆ１１３」とする。）、インピーダンスアッパー回路１１１および電源回路１１２を有している。
【０００６】
このように構成された集合住宅用インターホンシステムにおいて、カメラ付き玄関機１８０で所定の住戸のモニタ付き居室親機１９０を呼び出すことができるスイッチモジュール１４０の呼出スイッチ１４１にて呼出操作すると、呼出データ信号が玄関機通話モジュール１３０および玄関機Ｉ／Ｆ１８１を介してバスコントローラー１１０のバスコントローラーＩ／Ｆ１１３に伝送され、バスコントローラーＩ／Ｆ１１３はこの呼出データ信号を共通バス１７０に伝送する。共通バス１７０に伝送された呼出データ信号は分岐器１７２及びモニタ付き居室親機Ｉ／Ｆ１９１を介して選局されたモニタ付き居室親機１９０に伝送される。この呼び出しに対して住人がモニタ付き居室親機１９０の親機通話モジュール１６０が有する通話回路１６３で通話操作を行うと、選局されたモニタ付き居室親機１９０、カメラ付き玄関機１８０間で通話路が形成される。
【０００７】
また、カメラ付き玄関機１８０の呼出操作により駆動されたカメラモジュール１２０が有するカメラ１２５で撮像した画像の映像信号は変調回路１２４で変調され、玄関機Ｉ／Ｆ１８１を介してバスコントローラー１１０のバスコントローラーＩ／Ｆ１１３に伝送され、バスコントローラーＩ／Ｆ１１３はこの映像信号を音声信号・データ信号・電源と共に共通バス１７０に伝送させる。共通バス１７０に多重伝送された映像信号は分岐器１７２を介して選局されたモニタ付き居室親機１９０に伝送され、モニタモジュール１５０が有する復調回路１５４で復調されてモニタ１５５で出画することができる。
【０００８】
なお、バスコントローラーＩ／Ｆ１１３は、モニタ付き居室親機１９０で電源を受給する際に、インピーダンスアッパー回路１１１で共通バス１７０の交流インピーダンスを制御（定電流動作）しているので、共通バス１７０が持つ交流インピーダンスの低下を防げる。
【０００９】
【発明が解決しようとする課題】
しかしながら、このような従来の集合住宅テレビインターホンシステムでは、カメラ付き玄関機１８０毎に個別に配線をしなければならないので、モニタ付き居室親機１９０が分岐器１７２を介して接続されている終端抵抗１７１付き共通バス１７０にカメラ付き玄関機１８０を接続することができなかった。また、共通バス１７０からモニタ付き居室親機１９０への配線は能動素子で構成された分岐器１７２を介することから、分岐側となるモニタ付き居室親機１９０への映像信号のレベルが小さくなり、共通バス１７０とモニタ付き居室親機１９０間で十分な距離を確保できないという難点があった。
【００１０】
本発明は、このような従来の難点を解決するためになされたもので、複数のカメラ付き玄関機と複数のモニタ付き居室親機とを終端抵抗を備えた共通バスに接続することができ、而も共通バスへの影響を少なくして分岐側の映像信号のレベルを小さくすることなくカメラ付き玄関機とモニタ付き居室親機を共通バスから離間した場所に設置できる集合住宅テレビインターホンシステムを提供することを目的とする。
【００１１】
【課題を解決するための手段】
上記目的を達成する本発明の集合住宅テレビインターホンシステムの基本構成は、終端抵抗付き共通バスに、共通バスに電源を供給すると共に共通バスの交流インピーダンスを制御するバスコントローラーと、映像信号を出力するカメラモジュール、音声信号で通話を行なうための玄関機通話モジュール、通話にあたり呼出のためのデータ信号を出力するスイッチモジュールから構成されたカメラ付き玄関機と、映像信号を出画させるモニタモジュール、カメラ付き玄関機と音声信号で通話を行なうための親機通話モジュールから構成されたモニタ付き居室親機とを共通接続しているものである。あるいは、終端抵抗付き共通バスに、映像信号を出力するカメラモジュール、音声信号で通話を行なうための玄関機通話モジュール、通話にあたり呼出のためのデータ信号を出力するスイッチモジュールから構成されたカメラ付き玄関機と、共通バスに電源を供給すると共に共通バスの交流インピーダンスを制御するバスコントローラー、映像信号を出画させるモニタモジュール、カメラ付き玄関機と音声信号で通話を行なうための親機通話モジュールから構成されたモニタ付き居室親機とを共通接続しているものである。
あるいは、終端抵抗付き共通バスに、共通バスに電源を供給すると共に共通バスの交流インピーダンスを制御するバスコントローラー、映像信号を出力するカメラモジュール、音声信号で通話を行なうための玄関機通話モジュール、通話にあたり呼出のためのデータ信号を出力するスイッチモジュールから構成されたカメラ付き玄関機と、映像信号を出画させるモニタモジュール、カメラ付き玄関機と音声信号で通話を行なうための親機通話モジュールから構成されたモニタ付き居室親機とを共通接続しているものである。
【００１２】
このような基本構成から成る本発明の集合住宅テレビインターホンシステムは、カメラ付き玄関機は、音声信号、データ信号、電源を通過させる音声・データ・電源通過回路と、共通バスへの映像信号を通過させ、共通バスからの映像信号を遮断するカメラ混合器回路とを介して共通バスに接続される。また、モニタ付き居室親機は、音声信号、データ信号、電源を通過させる音声・データ・電源通過回路と、共通バスからの映像信号を通過させ、共通バスへの映像信号を遮断するモニタ分波器回路とを介して共通バスに接続される。
【００１３】
このように構成された集合住宅テレビインターホンシステムによれば、カメラ付き玄関機はカメラ混合器回路で共通バスへの映像信号を通過させ、共通バスからの映像信号を遮断することができ、モニタ付き居室親機はモニタ分波器回路で共通バスからの映像信号を通過させ、共通バスへの映像信号を遮断することができるので、モニタ付き居室親機とカメラ付き玄関機とを終端抵抗付き共通バスに接続することができる。
【００１４】
また、このような集合住宅テレビインターホンシステムにおいて、カメラ付き玄関機及びカメラ混合器回路間、モニタ付き居室親機及びモニタ分波器回路間をそれぞれ分岐線で接続することによりカメラ付き玄関機とモニタ付き居室親機を共通バスから離間した場所に設置できるようにしたものである。これにより、カメラ付き玄関機とモニタ付き居室親機を共通バスから離間した場所に設置できるようになるので、配線の自由度が高くなり、施工コストを削減できる。
【００１５】
また、このような集合住宅テレビインターホンシステムにおいて、カメラ混合器回路とモニタ分波器回路を映像信号を増幅する増幅回路でそれぞれ構成することにより共通バスへの影響を少なくしたものである。これにより、共通バスに対する特性インピーダンスの影響を少なくできる。
【００１６】
【発明の実施の形態】
以下、本発明の集合住宅テレビインターホンシステムによる好ましい実施の形態について、図面を参照して説明する。
【００１７】
本発明の集合住宅テレビインターホンシステムは図１に示すように、集合住宅のエントランス等に設置される１又は２以上のカメラ付き玄関機８と、集合住宅の複数の住戸内にそれぞれ設置されるモニタ付き居室親機９と、カメラ付き玄関機８およびモニタ付き居室親機９に直流電源の供給を行なうバスコントローラー１とから構成されている。
【００１８】
カメラ付き玄関機８は、終端抵抗７１付き共通バス７に接続され音声信号、データ信号、電源、映像信号を多重、分離する玄関機インターフェース８１（以下、「玄関機Ｉ／Ｆ８１」とする。）と、玄関機Ｉ／Ｆ８１に接続され映像信号を出力するカメラモジュール２と、玄関機Ｉ／Ｆ８１に接続され音声信号で通話を行うための玄関機通話モジュール３と、玄関機通話モジュール３に接続され居室親機選局呼出のための複数のスイッチモジユール４、・・・とから構成されている。
【００１９】
カメラモジュール２は、エントランス等の来訪者を撮像するカメラ２５が変調回路２４を介して玄関機Ｉ／Ｆ８１に接続され、電源回路２３も玄関機Ｉ／Ｆ８１に接続されている。
【００２０】
玄関機通話モジュール３は、マイク、スピーカなどを具備する通話回路３３と、制御回路３５に接続されるデータ送受信回路３４と、電源回路３２に接続され待受け時の入力インピーダンスを高インピーダンスに増大して定電流動作を行うインピーダンスアッパー回路３１とが玄関機Ｉ／Ｆ８１に接続されている。なお、制御回路３５は通話回路３３に接続され、当該通話回路３３を制御している。
【００２１】
スイッチモジユール４は、呼出スイッチ４１が接続されたスイッチ制御回路４２を有し、このスイッチ制御回路４２は玄関機通話モジュール３の制御回路３５に接続されている。なお、他の複数のスイッチモジユール４は、各スイッチ制御回路４２が直列接続されている。
【００２２】
このカメラ付き玄関機８は、音声信号、データ信号、電源を通過させる音声・データ・電源通過回路２２と、共通バス７への映像信号を通過させ、共通バス７からの映像信号を遮断するカメラ混合器回路２１とを介して共通バスに接続されている。具体的には図２に示すように、カメラ混合器回路２１は映像信号を増幅する増幅回路ＡＭＰ１で構成され、増幅回路ＡＭＰ１の２つの出力端子にはコンデンサＣ１１、Ｃ１２を介して共通バス７に接続され、２つの入力端子はコンデンサＣ１３、Ｃ１４を介して分岐線Ｌ１に接続され、２つの電源端子の一方はコイルＬ１２を介して電源に接続され他方はコイルＬ１３を介して回路アースに接続されている。音声・データ・電源通過回路２２は、２つのコイルＬ１０、Ｌ１１で構成されコイルＬ１０、Ｌ１１の各一方は共通バス７に接続され各他方は分岐線Ｌ１に接続されている。ここで、コンデンサＣ１１、Ｃ１２、Ｃ１３、Ｃ１４は、高周波の映像信号は通過させ、低周波の音声信号、データ信号、電源は遮断する。また、コイルＬ１０、Ｌ１１は、低周波の音声信号、データ信号、電源は通過させ、高周波の映像信号は遮断する。
【００２３】
このようなカメラ付き玄関機８からカメラ混合器回路２１までの分岐線Ｌ１において、カメラ混合器回路２１で一旦インピーダンスマッチング終端され映像信号の反射波が発生しないようにすると共に、共通バス７の特性インピーダンスに影響を与えないように高インピーダンスで共通バス７に映像信号を出力することができるので、カメラ付き玄関機８から送出された映像信号は共通バス７の両端に設けられた終端抵抗７１でインピーダンスマッチング終端され反射波が発生しないようにカメラ混合器回路２１を通過させて共通バス７に送出することができる。
【００２４】
モニタ付き居室親機９は図１に示すように、終端抵抗７１付き共通バス７に接続され音声信号、データ信号、電源、映像信号を多重、分離する居室親機インターフェース９１（以下、「居室親機Ｉ／Ｆ９１」とする。）と、居室親機Ｉ／Ｆ９１に接続されカメラ付き玄関機８のカメラ２５で撮像された画像の映像信号を出画するためのモニタモジュール５と、居室親機Ｉ／Ｆ９１に接続され音声信号で通話を行うための親機通話モジュール６とから構成されている。
【００２５】
モニタモジュール５は、モニタ５５が復調回路５４を介して居室親機Ｉ／Ｆ９１に接続され、電源回路５３も居室親機Ｉ／Ｆ９１に接続されている。
【００２６】
親機通話モジュール６は、ハンドセットなどを具備する通話回路６３と、制御回路６５に接続されるデータ送受信回路６４と、電源回路６２に接続され待受け時の入力インピーダンスを高インピーダンスに増大して定電流動作を行うインピーダンスアッパー回路６１とが居室親機Ｉ／Ｆ９１に接続されている。なお、制御回路６５は通話回路６３に接続され、当該通話回路６３を制御している。
【００２７】
このモニタ付き居室親機９は、音声信号、データ信号、電源を通過させる音声・データ・電源通過回路５２と、共通バス７からの映像信号を通過させ、共通バス７への映像信号を遮断するモニタ分波器回路５１とを介して共通バス７に接続されている。具体的には図２に示すように、モニタ分波器回路５１は映像信号を増幅する増幅回路ＡＭＰ１１で構成され、増幅回路ＡＭＰ１１の２つの入力端子にはコンデンサＣ２１、Ｃ２２を介して共通バス７に接続され、２つの出力端子はコンデンサＣ２３、Ｃ２４を介して分岐線Ｌ２に接続され、２つの電源端子の一方はコイルＬ２２を介して電源に接続され他方はコイルＬ２３を介して回路アースに接続されている。音声・データ・電源通過回路５２は、２つのコイルＬ２０、Ｌ２１で構成されコイルＬ２０、Ｌ２１の各一方は共通バス７に接続され各他方は分岐線Ｌ２に接続されている。ここで、コンデンサＣ２１、Ｃ２２、Ｃ２３、Ｃ２４は、高周波の映像信号は通過させ、低周波の音声信号、データ信号、電源は遮断する。また、コイルＬ２０、Ｌ２１は、低周波の音声信号、データ信号、電源は通過させ、高周波の映像信号は遮断する。
【００２８】
このように構成されたモニタ分波器回路５１は、共通バス７の特性インピーダンスに影響を与えないように高インピーダンスで共通バス７に接続することができることから、反射波の発生原因にならないように共通バス７に伝送される映像信号を受信すると共に、モニタ付き居室親機９に分岐線Ｌ２の特性インピーダンスで出力できるので、映像信号は分岐線Ｌ２で反射波が発生しないようにモニタ分波器回路５１を通過してモニタ付き居室親機９に送出することができる。
【００２９】
バスコントローラー１は図１に示すように、直流電源に電源回路１２を介して接続される交流インピーダンスを制御するインピーダンスアッパー回路１１を備え、このインピーダンスアッパー回路１１は共通バスに接続されている。なお、インピーダンスアッパー回路１１は、出力インピーダンスを高インピーダンスに増大して定電流動作を行うことができる。
【００３０】
なお、カメラ付き玄関機８及びカメラ混合器回路２１間、モニタ付き居室親機９及びモニタ分波器回路５１間をそれぞれ分岐線Ｌ１、Ｌ２で接続することによりカメラ付き玄関機８とモニタ付き居室親機９を共通バス７から離間した場所に設置できるので、配線の自由度が高くなり、施工コストを削減できる。
【００３１】
このように構成された集合住宅用インターホンシステムにおいて、安定化された直流電源がバスコントローラー１のインピーダンスアッパー回路１１から共通バス７に供給され、音声・データ・電源通過回路２２及び分岐線Ｌ１を介してカメラ付き玄関機８のインピーダンスアッパー回路３１や、音声・データ・電源通過回路５２及び分岐線Ｌ２を介してモニタ付き居室親機９のインピーダンスアッパー回路６１を経由して電源回路３２や電源回路６２に待受時の電源として受給されるので、モニタ付き居室親機９で電源を受給する際に、当該モニタ付き居室親機９のインピーダンスアッパー回路６１が定電流動作を行なうことから、共通バス７にモニタ付き居室親機９を複数接続しても当該共通バス７が持つ交流インピーダンスの低下を防ぐことができる。したがって、共通バス７の伝送損失を減少させることができ、上述したデータ信号、音声信号、映像信号の伝送状態を安定化させることができる。また、カメラ付き玄関機８で電源を受給する際に、当該カメラ付き玄関機８のインピーダンスアッパー回路３１が定電流動作を行なうことから、共通バス７にカメラ付き玄関機８を接続しても当該共通バス７が持つ交流インピーダンスが下がらないので、共通バス７の伝送損失を減少させることができ、上述したデータ信号、音声信号、映像信号の伝送状態を安定化させることができる。さらに、バスコントローラー１で共通バス７に電源供給を行なう際に、定電流動作を行なうインピーダンスアッパー回路１１を介して電源供給を行なうことができることから、共通バス７にバスコントローラー１を接続しても当該共通バス７が持つ交流インピーダンスが下がらないので、共通バス７の伝送損失を減少させることができ、上述したデータ信号、音声信号、映像信号の伝送状態を安定化させることができる。
【００３２】
このようにして電源が供給されている待受時のカメラ付き玄関機８で所定の住戸のモニタ付き居室親機９を呼び出すことができるスイッチモジュール４の呼出スイッチ４１にて呼出操作すると、呼出データ信号が玄関機通話モジュール３を介して玄関機Ｉ／Ｆ８１に送出される。ここで、呼出データ信号は映像信号よりも低周波信号なので、玄関機Ｉ／Ｆ８１から分岐線Ｌ１を介して音声・データ・電源通過回路２２を通過して共通バス７に伝送される。共通バス７に伝送された呼出データ信号は音声・データ・電源通過回路５２を通過し分岐線Ｌ２を介してモニタ付き居室親機９の居室親機Ｉ／Ｆ９１に受信される。居室親機Ｉ／Ｆ９１に受信された呼出データ信号は、モニタ付き居室親機９の親機通話モジュール６が有するデータ送受信回路６４を介して制御回路６５に送出され、制御回路６５はこの呼出データ信号に基づき通話回路６３にて呼出音を放音させる。
【００３３】
この呼び出しに対して居住者がモニタ付き居室親機９の親機通話モジュール６が有する通話回路６３で通話操作を行うと、制御回路６５から応答信号がデータ送受信回路６４を介して居室親機Ｉ／Ｆ９１に送出される。ここで、応答信号は映像信号よりも低周波信号なので、居室親機Ｉ／Ｆ９１から分岐線Ｌ２を介して音声・データ・電源通過回路５２を通過して共通バス７に伝送される。共通バス７に伝送された応答信号は音声・データ・電源通過回路２２を通過し分岐線Ｌ１を介して呼び出しを行ったカメラ付き玄関機８の玄関機Ｉ／Ｆ８１に受信される。玄関機Ｉ／Ｆ８１に受信された応答信号は、カメラ付き玄関機８の玄関機通話モジュール３が有するデータ送受信回路３４を介して制御回路３５に送出され、制御回路３５はこの応答信号に基づき通話回路３３を駆動させる。
【００３４】
これにより、選局されたモニタ付き居室親機９、カメラ付き玄関機８間で通話路が形成され、モニタ付き居室親機９の通話回路６３とカメラ付き玄関機８の通話回路３３とで音声信号による通話ができるようになる。
【００３５】
また、カメラ付き玄関機８で呼出操作が行われると、カメラ付き玄関機８のカメラモジュール２が有するカメラ２５が駆動されるので、カメラ２５で撮像された画像の映像信号が変調回路２４で変調されて玄関機Ｉ／Ｆ８１に送出される。
ここで、映像信号は高周波信号なので、玄関機Ｉ／Ｆ８１から分岐線Ｌ１を介してカメラ混合器回路２１を通過して共通バス７に伝送される。この際、カメラ混合器回路２１で一旦インピーダンスマッチング終端され映像信号の反射波が発生しないようにすると共に、共通バス７の特性インピーダンスに影響を与えないように高インピーダンスで共通バス７に映像信号を出力することができるので、カメラ付き玄関機８から送出された映像信号は共通バス７の両端に設けられた終端抵抗７１でインピーダンスマッチング終端され反射波が発生しないようにカメラ混合器回路２１を通過させて共通バス７に送出することができる。
【００３６】
共通バス７に伝送された呼出データ信号はモニタ分波器回路５１を通過し分岐線Ｌ２を介してモニタ付き居室親機９の居室親機Ｉ／Ｆ９１に受信される。この際、モニタ分波器回路５１は、共通バス７の特性インピーダンスに影響を与えないように高インピーダンスで共通バス７に接続することができることから、反射波の発生原因にならないように共通バス７に伝送される映像信号を受信すると共に、モニタ付き居室親機９に分岐線Ｌ２の特性インピーダンスで出力できるので、映像信号は分岐線Ｌ２で反射波が発生しないようにモニタ分波器回路５１を通過してモニタ付き居室親機９に送出することができる。
【００３７】
居室親機Ｉ／Ｆ９１で受信された映像信号はモニタ付き居室親機９のモニタモジュール５が有する復調回路５４で復調されモニタ５５で出画することができる。なお、カメラ混合器回路２１、モニタ分波器回路５１で共通バス７の特性インピーダンスに影響を与えないようにすることができるので、分岐側となるモニタ付き居室親機９への映像信号のレベル低下を防ぐことができる。
【００３８】
また、共通バス７にカメラ混合器回路２１、音声・データ・電源通過回路２２を介して接続されるカメラ付き玄関機８が複数配置されている場合には、呼び出しを行ったカメラ付き玄関機８から共通バス７に伝送される映像信号は、他のカメラ付き玄関機８では共通バス７間に接続されているカメラ混合器回路２１によって遮断することができる。
【００３９】
また、バスコントローラー１は、モニタ付き居室親機９で電源を受給する際に、インピーダンスアッパー回路１１で共通バス７の交流インピーダンスを制御（定電流動作）しているので、共通バス７が持つ交流インピーダンスの低下を防ぐことができる。
【００４０】
なお、上述した本発明の好ましい実施の形態例においては、バスコントローラー１はカメラ付き玄関機８、モニタ付き居室親機９とは個別に設けられていたが、これに限らず、カメラ付き玄関機８あるいはモニタ付き居室親機９の何れか一方に内蔵されていてもよい。
【００４１】
【発明の効果】
以上の説明から明らかなように、本発明の集合住宅テレビインターホンシステムによれば、カメラ付き玄関機を音声・データ・電源通過回路を含むカメラ混合器回路を介して終端抵抗付き共通バスに接続し、モニタ付き居室親機をデータ・電源通過回路を含むモニタ分波器回路を介して終端抵抗付き共通バスに接続する構成にしたので、モニタ付き居室親機とカメラ付き玄関機とを共通バスの特性インピーダンスに影響を与えないようにして終端抵抗付き共通バスに接続することができる。
【図面の簡単な説明】
【図１】本発明の集合住宅テレビインターホンシステムにおける好ましい実施の形態例を示す構成ブロック図。
【図２】本発明の集合住宅テレビインターホンシステムの主要部である音声・データ・電源通過回路、カメラ混合器回路、モニタ分波器回路を示す回路図。
【図３】従来の集合住宅テレビインターホンシステムの構成を示すブロック図。
【符号の説明】
１・・・・・バスコントローラー
２・・・・・カメラモジュール
３・・・・・玄関機通話モジュール
４・・・・・スイッチモジュール
５・・・・・モニタモジュール
６・・・・・親機通話モジュール
７・・・・・共通バス
７１・・・・・終端抵抗
２１・・・・・カメラ混合器回路
２２、５２・・・・・音声・データ・電源通過回路
５１・・・・・モニタ分波器回路
Ｌ１、Ｌ２・・・・・分岐線
ＡＭＰ１、ＡＭＰ１１・・・・・増幅回路
【図１】
2004304548.tif 000003
【図２】
2004304548.tif 000004
【図３】
2004304548.tif 000005